(57)【特許請求の範囲】
【請求項１】
キャンペーン応募用情報データを有する二次元バーコードを設けたバーコード付き紙製容器であって、該二次元バーコードが紙製容器の三角屋根状天面部の外面の内側への谷折り部にかかる位置又は谷折り部に近接する位置に設けられていることを特徴とするバーコード付き紙製容器。
【請求項２】
前記二次元バーコードがインキジェットプリンター用インキ又はレーザープリンター用トナーインキを用いて印字してなるＱＲコード（登録商標）からなることを特徴とする請求項１記載のバーコード付き紙製容器。
【請求項３】
前記インキジェットプリンター用インキ及びレーザープリンター用トナーインキが食品包装材料用印刷インキに関する自主規制のネガティブリスト記載の原材料を含有していないことを特徴とする請求項２記載のバーコード付き紙製容器。
【発明の詳細な説明】
【技術分野】
【０００１】
本発明は、各種の食品等の包装に使用するバーコード付き紙製容器に関するものである。
【背景技術】
【０００２】
近年、各種機密情報データを有する印字コードが容器などに設けられている場合が多く見られる。前記印字コードには、ランダムな英数字が多く使用されているが、その場合消費者がその印字コードを使用して、例えば、キャンペーンに応募する場合には、指定のインターネットアドレスを入力した後に印字コードを入力して応募していた。従って、応募の為の入力負荷が非常に大きく、キャンペーンの参加人数が増えないなどの問題があった。なお、バーコードを設けた感光材料用包装材料が提案されている（例えば、特許文献１参照。）。
【特許文献１】特開平１１−３２７０９１号公報
【発明の開示】
【発明が解決しようとする課題】
【０００３】
本発明の課題は、キャンペーン応募用情報データを有し、かつ、衛生的に安全な二次元バーコードを紙製容器の内容物を取り出す時や取り出した後に始めて見える位置に設けた紙製容器を提供することにある。
【課題を解決するための手段】
【０００５】
本発明の請求項１に係る発明は、キャンペーン応募用情報データを有する二次元バーコードを設けたバーコード付き紙製容器であって、該二次元バーコードが紙製容器の三角屋根状天面部の外面の内側への谷折り部にかかる位置又は谷折り部に近接する位置に設けられていることを特徴とするバーコード付き紙製容器である。
【０００６】
本発明の請求項２に係る発明は、上記請求項１に係る発明において、前記二次元バーコードがインキジェットプリンター用インキ又はレーザープリンター用トナーインキを用いて印字してなるＱＲコード（登録商標）からなることを特徴とするバーコード付き紙製容器である。
【０００７】
本発明の請求項３に係る発明は、上記請求項２に係る発明において、前記インキジェットプリンター用インキ及びレーザープリンター用トナーインキが食品包装材料用印刷インキに関する自主規制のネガティブリスト記載の原材料を含有していないことを特徴とするバーコード付き紙製容器である。
【発明の効果】
【０００８】
本発明のバーコード付き紙製容器は、キャンペーン応募用情報データを有する二次元バーコードを設けたバーコード付き紙製容器であって、該二次元バーコードが紙製容器の三角屋根状天面部の外面の内側への谷折り部にかかる位置又は谷折り部に近接する位置に設けられており、前記二次元バーコードがインキジェットプリンター用インキ又はレーザープリンター用トナーインキを用いて印字してなるＱＲコード（登録商標）からなるので、設けられた二次元バーコードが情報データを多く保有しており、充填された内容物を取り出す時あるいは取り出した後に始めて、その二次元バーコードをカメラ付き携帯電話などの読み取り機を使用して読み取って、容易にキャンペーン等に応募することが出来る。また、前記インキジェットプリンター用インキ及びレーザープリンター用トナーインキが食品包装材料用印刷インキに関する自主規制のネガティブリスト記載の原材料を含有していないので、得られた二次元バーコードは衛生的にも安全である。
【発明を実施するための最良の形態】
【００１３】
本発明のバーコード付き紙製容器を実施の形態に沿って以下に詳細に説明する。図１は本発明のバーコード付き紙製容器の実施形態を示す斜視図であり、バーコード付き紙製容器（４０）は、底面部（４１）、側面部（４２、４３、４４、４５）、三角屋根状天面部（４６）を有しており、三角屋根状天面部（４６）の外面の内側への谷折り部（３６ａ）に近接する位置に二次元バーコード（１）が設けられている。
【００１４】
二次元バーコード（１）が図４に示す位置に設けらている理由は、内容物を取り出した後で、二次元バーコードの部分を平らにして始めて読みとれるようになっており、内容物が充填されている商品を購入しないで、キャンペーンにだけ応募するのを防止する為である。
【００１５】
前記二次元バーコード（１）は、食品包装材料用印刷インキに関する自主規制のネガティブリスト記載の原材料を含有していないインキジェットプリンター用インキ、又は食品包装材料用印刷インキに関する自主規制のネガティブリスト記載の原材料を含有していないレーザープリンター用トナーインキを用いて、それぞれインキジェットプリント方式又はレーザープリント方式で印字されたＱＲコードからなっており、キャンペーン応募用情
報データーを有している。なお、前記二次元バーコード（１）は、紙製容器の所定位置に直接設けても良いし、同様の二次元バーコードを設けたラベルを紙製容器の所定位置に、二次元バーコード面が紙製容器側になるように貼りつけて設けても良い。
【００１６】
本発明の二次元バーコードとは、水平と垂直の二方向に情報を持つバーコードであり、一次元バーコードに比べて大量の情報データを保有している。種類としては、一次元バーコードを縦に細かく積み重ねたスタック式のものと、情報データを白黒のます目（セル）で縦横のモザイク状にしたマトリックス式のものとがある。前スタック式のものには、スーパーコード、ＰＤＦ４１７，ＣＯＤＥ−４９，ＣＯＤＥ−１６Ｋなどがあり、マトリックス式のものには、データマトリックス、マキシコード、ＱＲコードなどがある。マトリックス式のものはスペースのわりに情報量を大きくできる特徴がある。
【００１７】
前記食品包装材料用印刷インキに関する自主規制とは、印刷インキ工業連合会が取り決めた自主規制のことを指しており、ネガティブリストとは使用してはいけない原材料を選定し、リストアップしている。
【００１８】
本発明のバーコード付き紙製容器に使用する材料は特に限定されず、紙層単体、紙層の片面又は両面に高分子樹脂層を積層した積層体、紙層単体や前記積層体に印刷を施したものが使用可能である。前記高分子樹脂としては、低密度ポリエチレン樹脂、直鎖状低密度ポリエチレン樹脂、中密度ポリエチレン樹脂、アイオノマー樹脂、ポリプロピレン樹脂、ポリメチルペンテン樹脂、ポリエステル系樹脂などが良く使用される。
【００１９】
本発明のバーコード付き紙製容器は、いずれも、キャンペーン用情報データーを有するＱＲコードからなる二次元バーコードが所定位置に設けられているので、内容物を取り出す時や内容物を取り出した後に始めて、カメラ付き携帯電話などの読み取り機を使用して読み取って、簡単にキャンペーン等に応募することが出来る。また、二次元バーコードは食品包装材料用印刷インキに関する自主規制のネガティブリスト記載の原材料を含有していないインキジェットプリンター用インキやレーザープリンター用トナーインキを用いて印字されているので、印字も容易に出来、衛生的にも安全である。
【図面の簡単な説明】
【００２０】
【図１】本発明のバーコード付き紙製容器の一実施形態を示す斜視図である。
【符号の説明】
【００２１】
１…二次元バーコード
４０…バーコード付き紙製容器
４１…底面部
４２，４３，４４，４５…側面部
４６…三角屋根状天面部
４６ａ…谷折り部
【図１】
0004779626.tif 000002